(57)【要約】【課題】緊急度の高い複数の監視画面を優先的に表示して遷移させる監視制御システムを提供する。【解決手段】受信した計測データを監視項目データベース３３に格納するデータ処理部３２と、その監視データから観測地点に発生した異常事象又は監視対象機器に発生した異常・故障を判断し、警報情報を生成する警報情報生成部３４とを備えた監視制御サーバ３０、受信した警報情報を基に、Ｗｅｂブラウザ上の複数の表示領域５７ａ〜５７ｚに自動で遷移させて表示すべき複数の監視画面の表示優先度を監視画面データベース５４から取得して順に表示画面リストを作成し、表示画面番号を基に各監視画面のレイアウト情報を画面情報定義５５から取得し、各表示領域５７ａ〜５７ｚの各画面表示部５ａ〜５ｚに、表示画面リストの順に、表示画面番号を通知する表示制御部５３を備えたＷｅｂ監視端末５０とからなる監視制御システム１００を提供する。【選択図】図１
2014164459.tif 000002
【特許請求の範囲】
【請求項１】
監視対象機器から、監視対象項目ごとに計測データを収集する子局と、
監視制御サーバと、
Ｗｅｂ監視端末とがインターネットで接続された監視制御システムにおいて、
前記監視制御サーバは、
前記子局が収集した前記計測データを受信するデータ受信部と、
受信した前記計測データを演算・変換し、監視項目データベースに格納するデータ処理部と、
前記データ処理部が演算・変換した監視データから観測地点に発生した異常事象又は前記監視対象機器に発生した異常・故障を判断し、警報情報を生成する警報情報生成部と、
Ｗｅｂ通信機能を使用して前記警報情報を前記Ｗｅｂ監視端末に通知する警報情報送信部とを備え、
前記Ｗｅｂ監視端末は、Ｗｅｂ通信機能により前記監視制御サーバからの前記警報情報を受信する警報情報受信部と、
受信した前記警報情報を基に、表示装置のＷｅｂブラウザ上の複数の表示領域に自動で遷移させて表示すべき複数の監視画面の表示画面番号と表示優先度とを監視画面データベースから取得して優先度の高いものから順に表示画面リストを作成し、
前記表示画面番号を基に各前記監視画面のレイアウト情報を画面情報定義から取得し、
各前記表示領域の各画面表示部に、前記表示画面リストの順に、前記表示画面番号を通知する表示制御部とを備えた監視制御システム。
【請求項２】
前記警報情報は、警報レベルを有し、
前記監視画面データベースは、前記監視画面ごとに自動遷移警報レベルを有し、
前記表示制御部は、前記警報レベルが前記自動遷移警報レベル以上になると前記表示画面リストを作成する請求項１に記載の監視制御システム。
【請求項３】
前記監視項目データベースは、前記監視対象項目ごとに予め定めた条件値を有し、
前記表示制御部は、前記監視対象項目の前記計測データが前記条件値を超えると前記表示画面リストを作成する請求項２に記載の監視制御システム。
【請求項４】
前記監視画面データベースは、前記監視画面ごとに関連する前記監視対象項目を示す関連項目番号を有し、
前記表示制御部は、前記関連項目番号と同一の項目番号に対応する監視画面を加えて前記表示画面リストを作成する請求項１から請求項３のいずれか１項に記載の監視制御システム。
【請求項５】
各前記表示領域は、自動遷移から除外して固定表示することが可能である請求項１から請求項４のいずれか１項に記載の監視制御システム。
【発明の詳細な説明】
【技術分野】
【０００１】
この発明は、インターネットを利用して河川、ダム、プラント設備などの広域を監視する監視制御システムに関するものである。
更に詳しくは、監視制御サーバが監視している設備機器から異常・故障を検出し、警報を発生させた際に、細かい表示領域に区切ったＷｅｂ監視画面上に、異常・故障を発生させている設備機器の情報を表示する監視画面を表示領域毎に複数表示し、それぞれの監視画面が自動で次の監視画面に遷移する監視制御システムに関するものである。
【背景技術】
【０００２】
従来、広域の河川、ダム、プラント設備などの監視制御システムにおいては、Ｗｅｂ監視端末上のＷｅｂブラウザに表示される監視画面を作業者が定時刻に確認している。
また、監視対象機器に異常・故障が発生した場合は、即座に異常・故障の内容、発生した時刻を確認し、状況に対応することが求められている。
作業者の操作なしに自動で監視画面を遷移させる方式として、事前に遷移する監視画面の順序、表示時間、監視画面の表示条件などを設定することにより、自動で監視画面を遷移させ、作業者の操作の負担を軽減し、監視漏れを防止する監視制御方式が開示されている（例えば、特許文献１参照）。
この監視制御方式では、Ｗｅｂブラウザの画面上には１つの監視画面を表示し、自動で遷移することはできるが、他の監視画面の情報を確認しようとした場合、次の監視画面へ自動で遷移するまで待つか、または、作業者がキーボード、マウスなどのデバイスを用いて手動で監視画面を遷移させなければならない問題があった。
そこで、Ｗｅｂ監視端末のＷｅｂブラウザ上に表示する、監視画面の限られたスペースを有効に活用するために、１つの監視画面を複数の表示領域に分割し、分割した領域に異なる監視設備情報を表示する方式が開示されている（例えば、特許文献２参照）。
【先行技術文献】
【特許文献】
【０００３】
【特許文献１】特開２０１２−７９２０３号公報（１５〜１６頁、第１図、第２図、第３図、第４図）
【特許文献２】特開２００１−３４３３４号公報（６〜９頁、第１図、第２図、第３図、第４図、第５図）
【発明の概要】
【発明が解決しようとする課題】
【０００４】
特許文献２に示す方式では、異常・故障警報が複数発生した際に、どの監視画面に優先して自動で遷移するか判断することができず、事前に定めた監視画面の遷移する順序どおりにしか監視画面が自動遷移せず、作業員が緊急性の高い状況に即座に対応できないという課題があった。
【０００５】
この発明は、このような課題を解決するためになされたものであり、複数の監視画面を表示する監視制御システムにおいて、異常・故障警報が発生した際に、緊急度の高い監視画面を優先的に表示して遷移させる監視制御システムを提供することを目的とする。
【課題を解決するための手段】
【０００６】
この発明に係る監視制御システムは、
監視対象機器から、監視対象項目ごとに計測データを収集する子局と、
監視制御サーバと、
Ｗｅｂ監視端末とがインターネットで接続された監視制御システムにおいて、
監視制御サーバは、
子局が収集した計測データを受信するデータ受信部と、
受信した計測データを演算・変換し、監視項目データベースに格納するデータ処理部と、
データ処理部が演算・変換した監視データから観測地点に発生した異常事象又は監視対象機器に発生した異常・故障を判断し、警報情報を生成する警報情報生成部と、
Ｗｅｂ通信機能を使用して警報情報をＷｅｂ監視端末に通知する警報情報送信部とを備え、
Ｗｅｂ監視端末は、Ｗｅｂ通信機能により監視制御サーバからの警報情報を受信する警報情報受信部と、
受信した警報情報を基に、表示装置のＷｅｂブラウザ上の複数の表示領域に自動で遷移させて表示すべき複数の監視画面の表示画面番号と表示優先度とを監視画面データベースから取得して優先度の高いものから順に表示画面リストを作成し、
表示画面番号を基に各監視画面のレイアウト情報を画面情報定義から取得し、
各表示領域の各画面表示部に、表示画面リストの順に、表示画面番号を通知する表示制御部とを備えたものである。
【発明の効果】
【０００７】
本発明に係る監視制御システムによれば、警報情報が通知された際に、確認しなければならない複数の監視画面を表示優先度を用いて自動判断し、動的に監視画面の表示順序を決定できるので、緊急度の高い監視画面を、優先的に遷移させながら表示することができる。
これにより、作業者が緊急事態に即座に対応できるようになり、異常・故障設備機器への対応の遅れ、漏れを防止することができる。
また、予め、監視画面の表示順序を設ける必要がないので、設備機器の増設や構成の変更に柔軟に対応できる。
【図面の簡単な説明】
【０００８】
【図１】この発明の実施の形態１に係る監視制御システムのシステム構成を示すブロック図である。
【図２】この発明の実施の形態１に係る表示領域の自動遷移図である。
【図３】この発明の実施の形態１に係る監視制御サーバの監視項目データベースが有するデータベースフィールドの構成を示す図である。
【図４】この発明の実施の形態１に係る警報情報の構成を示す図である。
【図５】この発明の実施の形態１に係る監視画面データベースが有する項目番号に関するデータベースフィールドの構成を示す図である。
【図６】この発明の実施の形態１に係る監視画面データベースが有する表示画面番号に関するデータベースフィールドの構成を示す図である。
【図７】この発明の実施の形態１に係る表示画面リストの構成を示す図である。
【図８】この発明の実施の形態１に係る監視画面データベースが有する表示領域に関するデータベースフィールドの構成を示す図である。
【図９】この発明の実施の形態１に係る監視制御システムのフローチャート（前半）である。
【図１０】この発明の実施の形態１に係る監視制御システムのフローチャート（後半）である。
【図１１】この発明の実施の形態２に係る監視項目データベースが有するデータベースフィールドの構成を示す図である。
【図１２】この発明の実施の形態２に係る警報情報の構成を示す図である。
【図１３】この発明の実施の形態２に係る監視画面データベースが有する表示画面番号に関するデータベースフィールドの構成を示す図である。
【図１４】この発明の実施の形態２に係る監視制御システムのフローチャートである。
【図１５】この発明の実施の形態３に係る監視項目データベースが有するデータベースフィールドの構成を示す図である。
【図１６】この発明の実施の形態３に係る警報情報の構成を示す図である。
【図１７】この発明の実施の形態３に係る監視画面データベースが有する表示画面番号に関するデータベースフィールドの構成を示す図である。
【図１８】この発明の実施の形態３に係る監視制御システムのフローチャートを示す図である。
【図１９】この発明の実施の形態４に係る監視画面データベースが有する表示画面番号に関するデータベースフィールドの構成を示す図である。
【図２０】この発明の実施の形態４に係る監視制御システムのフローチャートである。
【図２１】この発明の実施の形態５に係る表示画面上に画面固定ボタンを配置した図である。
【図２２】この発明の実施の形態５に係る監視制御システムのフローチャートである。
【図２３】この発明の実施の形態５に係る監視制御システムのフローチャート（作業者の処理）である。
【発明を実施するための形態】
【０００９】
実施の形態１．
以下、この発明の実施の形態１に係る監視制御システム１００を、図を用いて説明する。
図１は、監視制御システム１００のシステム構成を示すブロック図である。
図２は、監視制御システム１００の表示装置６０の各表示領域に表示される監視画面の自動遷移の状態を示す図である。
監視制御システム１００は、監視対象機器１０ａ〜１０ｚと、子局２０ａ〜２０ｚと、監視制御サーバ３０と、インターネット４０と、Ｗｅｂ監視端末５０と、表示装置６０によって構成されている。
各子局２０ａ〜２０ｚは、それぞれが監視している監視対象機器１０ａ〜１０ｚより監視データを受信し、それを監視制御サーバ３０に送信する。
【００１０】
監視制御サーバ３０は、データ受信部３１、データ処理部３２、監視項目データベース３３、警報情報生成部３４、警報情報送信部３５、Ｗｅｂ通信機能３６を有している。
子局２０ａ〜２０ｚから監視データを受信するデータ受信部３１は、受信した監視データを画面に表示するために演算・変換するデータ処理部３２に監視データを受け渡す。
データ処理部３２は、監視データに必要に応じて演算・変換を施した後、監視項目データベース３３に監視データを保存する。
データ処理部３２は、監視データの保存後に警報情報生成部３４を呼び出す。
警報情報生成部３４は、観測地点に発生した異常事象、又は監視対象機器１０ａ〜１０ｚに発生した異常・故障（以下、異常・故障という）を監視データから判別し、異常・故障を検出した際（後述）には、警報情報を作成して警報情報送信部３５を呼び出す。
警報情報送信部３５は、警報情報をＷｅｂ通信機能３６を用いてインターネット４０経由でＷＥＢ監視端末５０に対し通知する。
【００１１】
図３は、監視制御サーバ３０の監視項目データベース３３が有するデータベースフィールドの構成を示す図である。
警報情報生成部３４は、データ処理部３２から各子局２０ａ〜２０ｚが監視している監視データ（例えば、項目番号００００１）の現在値を取得し、図３に示す監視項目データベース３３に定義されている項目番号００００１の正常範囲に現在値が該当するか否かで判定する。
【００１２】
図４は、警報情報の構成を示す図である。
監視データが正常範囲内の値である場合には、異常・故障が発生していないので、警報情報生成部３４は何も処理を行わない。
一方、監視データが正常範囲外の値である場合には、異常・故障が発生していると判断し、図４に示す警報情報を作成する。
【００１３】
監視制御サーバ３０とインターネット４０で接続されているＷｅｂ監視端末５０は、Ｗｅｂ通信機能５１と、警報情報受信部５２と、表示制御部５３と、監視画面データベース５４と、画面情報定義５５と、ＷＥＢブラウザ５６と、表示領域５７ａ〜５７ｚを有している。
【００１４】
Ｗｅｂ通信機能５１を用いて警報情報を受信した警報情報受信部５２は、Ｗｅｂブラウザ５６に監視画面を表示する制御を行う表示制御部５３を呼び出す。
図５は、Ｗｅｂ監視端末５０の監視画面データベース５４が有する項目番号に関するデータベースフィールドの構成を示す図である。
図６は、監視画面データベース５４が有する表示画面番号に関するデータベースフィールドの構成を示す図である。
表示制御部５３は、監視画面データベース５４を用いて、異常・故障が発生しているすべての項目番号について、各項目番号を表示しているすべての表示画面番号（各項目番号を表示している監視画面）を取得する。
そして、取得した表示画面番号から図６に定義されている各表示画面番号に対応する表示時間、及び表示優先度を取得する。
【００１５】
図７は、表示制御部５３が作成する自動画面遷移用の表示画面リストの構成を示す図である。
図７に示すように、表示制御部５３は、表示優先度が高いものから順になるように表示画面リストを作成する。
図８は、監視画面データベース５４が有する表示領域に関するデータベースフィールドの構成を示す図である。
表示制御部５３は、まず、図８に示す「定義項目」の表示領域の項目から、表示画面リストに定義されている複数の画面を自動で遷移させて表示する表示領域を取得する。
次に、「表示領域自動遷移順序」の定義値からＷｅｂブラウザ５６が有する各表示領域５７ａ〜５７ｚを呼び出し、次に表示する表示画面番号を表示画面リストに記載された順に通知する。
監視画面情報を通知された各表示領域５７ａ〜５７ｚは、図２に示すように、それぞれの画面表示部５ａ〜５ｚを用いて、監視画面を自動遷移させながら表示する。
【００１６】
以下、監視制御システム１００の動作について詳細に説明する。
図９は、監視制御システム１００の動作を示すフローチャート（前半）である。
図１０は、監視制御システム１００のフローチャート（後半）である。
各子局２０ａ〜２０ｚは各監視対象機器１０ａ〜１０ｚが収集した監視データを監視制御サーバ３０に送信する（Ｓ１０００）。
監視制御サーバ３０のデータ受信部３１は、各子局２０ａ〜２０ｚが送信した監視データを受信する（Ｓ１００１）。
【００１７】
データ処理部３２は、監視データを変換・演算し、監視項目データベース３３に保存する（Ｓ１００２）。
Ｓ１００２の後、データ処理部３２は警報情報生成部３４を呼び出す（Ｓ１００３）。  警報情報生成部３４は、監視対象機器１０ａ〜１０ｚに異常・故障が発生しているか否か、監視データを基に判断する（Ｓ１００４）。
警報情報生成部３４は、異常・故障を検出した際に、異常・故障に対応する警報情報を、図４に示す形式で生成する（Ｓ１００５）。
次に、警報情報生成部３４は生成した警報情報を、警報情報送信部３５に通知する（Ｓ１００６）。警報情報送信部３５は、Ｗｅｂ通信機能３６を用いて、インターネット４０経由でＷＥＢ監視端末５０に対し通知する（Ｓ１００７）。
【００１８】
Ｗｅｂ監視端末５０の警報情報受信部５２は、監視制御サーバ３０から通知された警報情報を、Ｗｅｂ通信機能５１を用いて受信する（Ｓ１１００）。
警報情報受信部５２は、受信した警報情報を表示制御部５３に受け渡す（Ｓ１１０１）。
表示制御部５３は、受信した警報情報を基に、監視画面データベース５４から、表示画面番号、名称、表示優先度、表示領域の情報を取得する（Ｓ１１０２）。
また、表示制御部５３は、表示する監視画面のレイアウト情報を画面情報定義５５から取得する（Ｓ１１０３）。
【００１９】
表示制御部５３は、Ｓ１１０２及びＳ１１０３で取得した監視画面情報の中から、表示優先度の高い監視画面情報を、各表示領域５７ａ〜５７ｚが有する画面表示部５ａ〜５ｚに通知する（Ｓ１１０４）。
画面表示部５ａ〜５ｚは、通知された監視画面情報を表示装置上の各表示領域５７ａ〜５７ｚに表示する（Ｓ１１０５）。
表示制御部５３は、作業者によって監視画面の自動遷移処理の終了を指定されない間は、Ｓ１１０４〜Ｓ１１０５の処理を繰り返す（Ｓ１１０６）。
【００２０】
本発明の実施の形態１に係る監視制御システムによれば、警報情報が通知された際に、確認しなければならない複数の監視画面を表示優先度を用いて自動判断し、動的に監視画面の表示順序を決定できるので、緊急度の高い監視画面を優先的に遷移させながら表示することができる。
これにより、作業者が緊急事態に即座に対応できるようになり、異常・故障設備機器への対応の遅れ、漏れを防止することができる。
また、予め、監視画面の表示順序を設ける必要がないので、設備機器の増設や構成の変更に柔軟に対応できる。
【００２１】
実施の形態２．
以下、この発明の実施の形態２に係る監視制御システムを、図を用いて実施の形態１と異なる部分を中心に説明する。
実施の形態２に係る監視制御システムは、実施の形態１に係る監視制御システム１００と比べて、主に、監視制御サーバ３０が作成する警報情報の構成及びＷｅｂ監視端末５０の表示制御部の動作が異なる。
図１１は、監視項目データベース２３３のデータベースフィールドの構成を示す図である。
監視項目データベース２３３には、監視対象項目の監視データが取り得る値に対応した警報レベルを定義する。
【００２２】
警報情報生成部３４は、警報情報を生成する際に、各子局２０ａ〜２０ｚが監視している項目（例：項目番号００００１）の現在値が、図１１に定義されている項目番号００００１の各警報レベル０〜２のいずれかの範囲に該当するか否かを判定する。
異常・故障が発生していない警報レベル０の場合は、警報情報生成部３４は、何も処理を行わない。
【００２３】
図１２は、警報情報の構成を示す図である。
警報情報生成部３４は、監視データの現在値が、警報レベル１〜２に該当する場合は、異常・故障が発生していると判断し、実施の形態１で述べた、図４に定義している警報情報に加え、図１２に定義される各項目情報の警報レベルの情報を付加した警報情報を作成して警報情報送信部３５を呼び出す。
警報情報送信部３５は、警報情報をＷｅｂ通信機能３６を用いてインターネット４０経由でＷＥＢ監視端末５０に対し通知する。
【００２４】
図１３は、この発明の実施の形態２に係る監視画面データベース２５４が有する表示画面番号に関するデータベースフィールドの構成を示す図である。
図１３に示すように、Ｗｅｂ監視端末の監視画面データベース２５４の表示画面番号に関するデータベースフィールドには、個々の表示画面番号に対して監視画面を表示するか否かを判断する自動遷移警報レベルを定義する。
【００２５】
表示制御部は、警報情報を受け取り、自動遷移させる表示画面番号を取得する際に、警報情報に含まれる各項目番号の警報レベルと、図１３に示す自動遷移警報レベルを比較する。
各項目番号の警報レベルが、自動遷移警報レベル以上の場合のみ図１３に定義されている各表示画面番号に対応する表示時間及び表示優先度を取得し、表示優先度が高いものから順になるように表示画面リストを作成する。
一方、各項目番号の警報レベルが、自動遷移警報レベルに満たない場合は、対応する表示画面情報を表示画面リストに追加しない。
これにより、表示制御部は、通知された警報情報に付加されている警報レベルに対応する監視画面のみを表示し、無駄な監視画面は表示を抑制する。
【００２６】
以下、監視制御システムの動作について詳細に説明する。
図１４は、Ｗｅｂ監視端末２５０の動作を示すフローチャートである。
なお、監視制御サーバ上の処理は、作成する警報情報の内容を除いて実施の形態１と同一であるため説明を省略する。
【００２７】
警報情報受信部５２は、監視制御サーバから通知された警報情報を、Ｗｅｂ通信機能５１を用いて受信する（Ｓ２１００）。
警報情報受信部５２は、受信した警報情報を表示制御部に受け渡す（Ｓ２１０１）。
表示制御部は、受信した警報情報を基に、監視画面データベース２５４から、表示画面番号、名称、表示優先度、表示領域、自動遷移警報レベルの情報を取得する（Ｓ２１０２）。
また、表示制御部は、表示する監視画面のレイアウト情報を画面情報定義５５から取得する（Ｓ２１０３）。
【００２８】
表示制御部は、Ｓ２１０２及びＳ２１０３で取得した監視画面情報の中から、表示優先度の高い監視画面情報を選択する（Ｓ２１０４）。
次に、表示制御部は、監視制御サーバから通知された警報情報の警報レベルが、自動遷移警報レベル以上か否かを判定する（Ｓ２１０５）。
通知された警報レベルが、自動遷移警報レベル以上の場合は、表示制御部は、監視画面情報を各表示領域５７ａ〜５７ｚが有する画面表示部５ａ〜５ｚに通知する（Ｓ２１０６）。
画面表示部５ａ〜５ｚは、通知された監視画面情報を表示装置上の各表示領域５７ａ〜５７ｚに表示する（Ｓ２１０７）。
表示制御部は、作業者によって監視画面の自動遷移処理の終了を指定されない間は、Ｓ２１０４〜Ｓ２１０７の処理を繰り返す（Ｓ２１０８）。
【００２９】
本発明の実施の形態２に係る監視制御システムによれば、監視制御サーバにおいて生成する警報情報の中に警報レベルの情報を設け、Ｗｅｂ監視端末において受信した警報情報の警報レベルが自動遷移警報レベル以上の場合のみ監視画面を自動遷移して表示することにしたので、迅速に処理しなければならない監視画面への対応を行い易くなる。
また、作業者の監視形態に合わせて警報レベルを設定できるので、作業効率を高める効果がある。
【００３０】
実施の形態３．
以下、この発明の実施の形態３に係る監視制御システムを、図を用いて実施の形態１、２と異なる部分を中心に説明する。
実施の形態３に係る監視制御システムは、実施の形態１、２に係る監視制御システムと比べて、主に、監視制御サーバが作成する警報情報の構成及びＷｅｂ監視端末の表示制御部の動作が異なる。
図１５は、監視項目データベース３３３のデータベースフィールドの構成を示す図である。
監視項目データベース３３３では、監視対象項目の監視データに演算・変換を施した監視データが取り得る値に対応した警報レベルの他に、各項目番号の監視データに許容される上限値・下限値を定義する。
【００３１】
警報情報生成部３４は、データ処理部３２から各子局２０ａ〜２０ｚが監視している項目（例えば、項目番号００００１）の現在値が、図１５の監視項目データベース３３３に定義されている項目番号００００１の各警報レベル（０〜２）のいずれかの範囲に該当するか否かを判定する。
さらに、現在値が各項目の下限値、もしくは上限値の範囲内であるか否かも判定する。
警報レベルが、警報レベル１〜２に該当する場合は、実施の形態２で述べた警報情報に加え、各項目番号の上限値、もしくは下限値の異常を組み合わせて異常と判定する。
【００３２】
図１６は、警報情報の構成を示す図である。
警報情報生成部は、図１６に示すように、実施の形態２の警報情報の構成に対して各項目情報の具体的な異常・故障内容を付加して警報情報を作成し、警報情報送信部３５を呼び出す。
【００３３】
図１７は、この発明の実施の形態３に係る監視画面データベース３５４が有する表示画面番号に関するデータベースフィールドの構成を示す図である。
図１７に示すように、Ｗｅｂ監視端末の監視画面データベース３５４の表示画面番号に関するデータベースフィールドには、自動で監視画面を表示する条件である画面表示条件を定義する。
画面表示条件は、例えば、水位上限値異常、流量下限値異常など、この情報の内容に対応して各監視画面を表示するか否かを判定するために使用する。
【００３４】
表示制御部は、警報情報を受け取り、自動遷移させる表示画面番号を取得する際、実施の形態２と同様に警報情報に含まれる各項目番号の警報レベルと、図１７に記載されている自動遷移警報レベルを比較し、各項目番号の警報レベルが自動遷移警報レベル以上の場合のものを選択する。
そして、選択された表示画面番号が有する画面表示条件が、監視制御サーバから受信した警報情報に付加された異常・故障内容に一致するか判定する。
一致した場合のみ、図１７に定義されている各表示画面番号に対応する表示時間及び表示優先度を取得し、表示優先度が高いものから順になるように表示画面リストを作成する。
これにより、表示制御部は、監視制御サーバより通知された警報情報の内容を確認し、画面表示条件に対応する監視画面のみを表示させる処理を実行する。
【００３５】
以下、監視制御システムの動作について詳細に説明する。
図１８は、Ｗｅｂ監視端末３５０の動作を示すフローチャートである。
なお、監視制御サーバ上の処理は、作成する警報情報の作成を除いて実施の形態１、２と同一であるため説明を省略する。
【００３６】
警報情報受信部５２は、監視制御サーバから通知された警報情報を、Ｗｅｂ通信機能５１を用いて受信する（Ｓ３１００）。
警報情報受信部５２は、受信した警報情報を表示制御部に受け渡す（Ｓ３１０１）。
表示制御部は、受信した警報情報を基に、監視画面データベース３５４から、表示画面番号、画面名称、表示時間、表示優先度、表示領域、自動遷移警報レベル、画面表示条件の情報を取得する（Ｓ３１０２）。
また、表示制御部は、表示する監視画面のレイアウト情報を画面情報定義５５から取得する（Ｓ３１０３）。
【００３７】
表示制御部は、Ｓ３１０２及びＳ３１０３で取得した監視画面情報の中から、表示優先度の高い監視画面情報を選択する（Ｓ３１０４）。
次に、表示制御部は、監視制御サーバから通知された警報情報の警報レベルが、自動遷移警報レベル以上か否かを判定する（Ｓ３１０５）。
通知された警報レベルが、自動遷移警報レベル以上の場合は、表示制御部は、警報情報の「異常・故障内容」が、各監視画面に設定された画面表示条件に該当するか否かを判定する（Ｓ３１０６）。
警報情報の「異常・故障内容」が、各監視画面に設定された画面表示条件に該当する場合は、表示制御部は、監視画面情報を各表示領域５７ａ〜５７ｚが有する画面表示部５ａ〜５ｚに通知する（Ｓ３１０７）
。画面表示部５ａ〜５ｚは、通知された監視画面情報を表示装置上の各表示領域５７ａ〜５７ｚに表示する（Ｓ３１０８）。
表示制御部は、作業者によって監視画面の自動遷移処理の終了を指定されない間は、Ｓ３１０４〜Ｓ３１０８の処理を繰り返す（Ｓ３１０９）。
【００３８】
本発明の実施の形態３に係る監視制御システムによれば、異常・故障が発生している可能性が高い項目に対して、複数の監視画面が自動遷移対象となっている状況において、画面表示条件に該当する監視画面のみを表示できる。
これにより、実施の形態１〜２よりも不要な監視画面の表示を抑制し、作業者が優先して確認しなければならない監視画面のみに自動で遷移することにより、異常・故障状況での即応性を向上させる効果がある。
【００３９】
実施の形態４．
以下、この発明の実施の形態４に係る監視制御システムを、図を用いて実施の形態１〜３と異なる部分を中心に説明する。
実施の形態４に係る監視制御システムは、実施の形態１〜３に係る監視制御システムと比べて、主に、Ｗｅｂ監視端末の監視画面データベースの構成と表示制御部の動作が異なる。
図１９は、監視画面データベースが有する表示画面番号に関するデータベースフィールドの構成を示す図である。
【００４０】
監視画面データベース４５４において、異常・故障が発生した項目と同一設備内、または同一流域などを監視している監視設備が有する各項目番号を関連項目番号として定義する。
表示制御部は、監視制御サーバより通知された警報情報の内容を確認する際に、異常・故障を発生している設備（項目番号）を表示している表示画面番号に加え、監視項目データベースに定義されている表示画面番号の関連項目番号を取得する（図５、図１９参照）。
そして、すべての関連項目番号を「項目番号」として、図５に定義されている各項目番号に対応するすべての表示画面番号（各項目番号を表示している監視画面）を更に取得する。
【００４１】
実施の形態３と同様に警報情報に含まれる各項目番号の警報レベルと、図１９に記載されている自動遷移警報レベルを比較し、各項目番号の警報レベルが自動遷移警報レベル以上の場合のものを選択する。
そして、選択された表示画面番号が有する画面表示条件が、監視制御サーバから受信した警報情報に付加された異常・故障内容に一致するか判定し、表示画面リストを作成する。
表示制御部は、異常・故障が発生した設備機器に関連する設備を表示する画面情報を取得し、事前に監視画面を表示・監視できるよう画面の自動遷移を実行する。
【００４２】
以下、監視制御システムの動作について詳細に説明する。
図２０は、Ｗｅｂ監視端末４５０の動作を示すフローチャートである。
なお、監視制御サーバ上の処理は、実施の形態１と同一であるため説明を省略する。
警報情報受信部５２は、監視制御サーバから通知された警報情報を、Ｗｅｂ通信機能５１を用いて受信する（Ｓ４１００）。
警報情報受信部５２は、受信した警報情報を表示制御部５３に受け渡す（Ｓ４１０１）。
表示制御部は、受信した警報情報を基に、監視画面データベース４５４から、表示画面番号、画面名称、表示時間、表示領域、表示優先度、自動遷移警報レベル、画面表示条件、関連項目番号の各情報を取得する（Ｓ４１０２）。
【００４３】
表示制御部は、Ｓ４１０２で取得した関連項目番号に定義されている監視設備の項目番号から、この項目番号を表示している監視画面の表示画面番号、画面名称、表示時間、表示領域、表示優先度、自動遷移警報レベル、画面表示条件の各情報を監視画面データベース４５４から取得する（Ｓ４１０３）。
次に、表示制御部は、表示する監視画面のレイアウト情報を画面情報定義５５から取得する（Ｓ４１０４）。
更に、表示制御部は、Ｓ４１０２、Ｓ４１０３及びＳ４１０４で取得した監視画面情報の中から、表示優先度の高い監視画面情報を選択する（Ｓ４１０５）。
表示制御部は、監視制御サーバから通知された警報情報内の警報レベルが、自動遷移警報レベル以上か否かを判定する（Ｓ４１０６）。
【００４４】
警報レベルが、自動遷移警報レベル以上の場合、表示制御部は、発生している警報が、各監視画面に設定された画面表示条件に該当するか判定する（Ｓ４１０７）。
発生している警報が、各監視画面に設定された画面表示条件に該当するときは、表示制御部は、監視画面情報を各表示領域５７ａ〜５７ｚが有する画面表示部５ａ〜５ｚに通知する（Ｓ４１０８）。
画面表示部５ａ〜５ｚは、通知された監視画面情報を表示装置上の各表示領域５７ａ〜５７ｚに表示する（Ｓ４１０９）。
表示制御部は、作業者によって監視画面の自動遷移処理の終了を指定されない間は、Ｓ４１０５〜Ｓ４１０９の処理を繰り返す（Ｓ４１１０）。
【００４５】
異常・故障が発生した設備と同一の設備内などに存在する機器は連鎖して異常・故障が発生する可能性が高い。
従来のシステムでは、異常・故障が発生してからその設備機器を表示している監視画面へ遷移していたが、本発明の実施の形態４に係る監視制御システムによれば、異常・故障が発生する可能性のある設備機器に関して、事前に監視画面を表示して監視を行うことにより、事前に対策を検討、実施することができるようになる。
これにより、危険な状況を未然に回避できる効果がある。
【００４６】
実施の形態５．
以下、この発明の実施の形態５に係る監視制御システムを、図を用いて実施の形態１〜４と異なる部分を中心に説明する。
実施の形態５に係る監視制御システムでは、実施の形態１〜４に対して、異常・故障が発生し、Ｗｅｂ監視端末が有するＷｅｂブラウザ上の各表示領域５７ａ〜５７ｚに自動で遷移する監視画面を表示している中から、作業者が１監視画面を選択し、その選択した監視画面のみを自動で次の監視画面へ遷移させずに固定して表示することができる。
他の表示領域に表示している画面については、実施の形態１〜４と同様に一定周期ごとに次の監視画面へ遷移する処理を実行する。
【００４７】
以下、監視制御システムの動作について詳細に説明する。
図２１は、画面固定ボタンを配置した、表示画面の状態を示す図である。
図２２は、Ｗｅｂ監視端末５５０の動作を示すフローチャートである。
図２３は、監視画面の固定、解除の動作を示すフローチャートである。
なお、監視制御サーバ上の処理は、実施の形態１と同一であるため説明を省略する。
【００４８】
警報情報受信部５２は、監視制御サーバから通知された警報情報を、Ｗｅｂ通信機能５１を用いて受信する（Ｓ５１００）。
警報情報受信部５２は、受信した警報情報を表示制御部に受け渡す（Ｓ５１０１）。
表示制御部は、受信した警報情報を基に、監視画面データベース４５４から、表示画面番号、画面名称、表示時間、表示領域、表示優先度、自動遷移警報レベル、画面表示条件、関連項目番号の各情報を取得する（Ｓ５１０２）。
また、表示制御部は、Ｓ５１０２で取得した関連項目に定義されている監視設備の項目番号から、この項目番号を表示している監視画面の表示画面番号、画面名称、表示時間、表示領域、表示優先度、自動遷移警報レベル、画面表示条件の各情報を監視画面データベース４５４から取得する（Ｓ５１０３）。
【００４９】
表示制御部は、表示する監視画面のレイアウト情報を画面情報定義５５から取得する（Ｓ５１０４）。
表示制御部は、Ｓ５１０２、Ｓ５１０３及びＳ５１０４で取得した監視画面情報の中から、表示優先度の高い監視画面情報を選択する（Ｓ５１０５）。
表示制御部は、監視制御サーバから通知された警報情報の警報レベルが、自動遷移警報レベル以上か判定する（Ｓ５１０６）。
警報レベルが、自動遷移警報レベル以上の場合は、表示制御部は、発生している警報が、各監視画面に設定された画面表示条件に該当するか判定する（Ｓ５１０７）。
発生している警報が、各監視画面に設定された画面表示条件に該当する場合は、表示制御部は、監視画面の表示が固定されていない表示領域が存在するか判定する（Ｓ５１０８）。
【００５０】
固定化されていない表示エリアが存在する場合は、表示制御部は、監視画面情報を各表示領域５７ａ〜５７ｚが有する画面表示部５ａ〜５ｚに通知する（Ｓ５１０９）。
固定化されていない表示エリアが存在しない場合は、監視画面を自動遷移できる表示領域が発生するまで処理を待機する（Ｓ５１１０）。
なお、監視画面の表示の固定化は、表示領域５７ａ〜５７ｚに表示されている監視画面を継続して監視する場合に、表示装置の各表示領域５７ａ〜５７ｚに表示されている画面固定ボタンを作業者が押下して画面を表示固定化する（Ｓ５２００）。
一方、監視画面の表示の固定化解除は、表示領域５７ａ〜５７ｚに固定表示されている監視画面の監視を終了する場合に、表示装置の各表示領域５７ａ〜５７ｚに表示されている画面固定ボタンを作業者が再度押下して画面の表示固定化を解除する（Ｓ５３００）。
画面表示部５ａ〜５ｚは、通知された監視画面情報を表示装置上の各表示領域５７ａ〜５７ｚに表示する（Ｓ５１１１）。
表示制御部は、作業者によって監視画面の自動遷移処理の終了を指定されない間は、Ｓ５１０５〜Ｓ５１１１の処理を繰り返す（Ｓ５１１２）。
【００５１】
従来のシステムでは、一定時間毎に事前に、設定した順序ごとに、監視画面を遷移させており、作業者が継続して監視する必要がある画面も自動で遷移していた。
本発明の実施の形態５に係る監視制御システムによれば、継続して監視する必要がある画面を作業者が選択することにより、各表示領域５７ａ〜５７ｚにそのまま固定して表示できる。
これにより、一度消えた目的の監視画面が再度表示されるまで待つ必要もなく、作業者が個別の監視画面へ遷移する処理を実施する手間を省くことができ、作業の効率化を図ることができる。
【００５２】
尚、本発明は、その発明の範囲内において、各実施の形態を自由に組み合わせたり、各実施の形態を適宜、変形、省略することが可能である。
【符号の説明】
【００５３】
１００  監視制御システム、５ａ〜５ｚ  画面表示部、１０ａ  監視対象機器、
２０ａ  子局、３０  監視制御サーバ、３１  データ受信部、３２  データ処理部、
３３，２３３，３３３  監視項目データベース、３４  警報情報生成部、
３５  警報情報送信部、３６  Ｗｅｂ通信機能、４０  インターネット、
５０，２５０，３５０，４５０，５５０  Ｗｅｂ監視端末、５１  Ｗｅｂ通信機能、
５２  警報情報受信部、５３  表示制御部、
５４，２５４，３５４，４５４，  監視画面データベース、５５  画面情報定義、
５６  ブラウザ、５７ａ〜５７ｚ  表示領域、６０  表示装置。
【図１】
2014164459.tif 000003
【図２】
2014164459.tif 000004
【図３】
2014164459.tif 000005
【図４】
2014164459.tif 000006
【図５】
2014164459.tif 000007
【図６】
2014164459.tif 000008
【図７】
2014164459.tif 000009
【図８】
2014164459.tif 000010
【図９】
2014164459.tif 000011
【図１０】
2014164459.tif 000012
【図１１】
2014164459.tif 000013
【図１２】
2014164459.tif 000014
【図１３】
2014164459.tif 000015
【図１４】
2014164459.tif 000016
【図１５】
2014164459.tif 000017
【図１６】
2014164459.tif 000018
【図１７】
2014164459.tif 000019
【図１８】
2014164459.tif 000020
【図１９】
2014164459.tif 000021
【図２０】
2014164459.tif 000022
【図２１】
2014164459.tif 000023
【図２２】
2014164459.tif 000024
【図２３】
2014164459.tif 000025